(57)【要約】【課題】取鍋にスクラップを敷き、その上に溶融スラグを入れて、スクラップを昇温させてから一緒に転炉に装入するのに適切な、溶融スラグの転炉装入用取鍋を提供する。【解決手段】転炉装入用取鍋１０は、取鍋にスクラップを敷き、その上に溶融スラグを入れて、スクラップを昇温させてから一緒に転炉に装入する際に用いる取鍋であって、取鍋本体１１の上側面の一部に、内容物（スクラップと溶融スラグ）を転炉に装入するための嘴（装入口、注ぎ口）１２を備えている。【選択図】図１
2014062320.tif 000002
【特許請求の範囲】
【請求項１】
取鍋にスクラップを敷き、その上に溶融スラグを入れて、スクラップを昇温させてから一緒に転炉に装入する際に用いる転炉装入用取鍋であって、内容物を転炉に装入するための嘴を備えていることを特徴とする溶融スラグの転炉装入用取鍋。
【請求項２】
水平方向に対する前記嘴の傾斜角度が５５°以下であることを特徴とする請求項１に記載の溶融スラグの転炉装入用取鍋。
【請求項３】
前記嘴は、前記取鍋の根元付近から、前記取鍋の側壁に対して傾斜を成して形成されていることを特徴とする請求項１または２に記載の溶融スラグの転炉装入用取鍋。
【請求項４】
前記取鍋の上縁が開放され、かつ前記取鍋の上縁が広がった形状をしていることを特徴とする請求項１〜３のいずれかに記載の溶融スラグの転炉装入用取鍋。
【請求項５】
請求項１〜４のいずれかに記載の溶融スラグの転炉装入用取鍋を用いた溶融スラグの転炉装入方法であって、前記溶融スラグの転炉装入用取鍋にスクラップを敷き、その上に溶融スラグを入れて、スクラップを昇温させてから一緒に転炉に装入することを特徴とする溶融スラグの転炉装入方法。
【発明の詳細な説明】
【技術分野】
【０００１】
本発明は、製鋼工程において、転炉で発生した溶融スラグを転炉で再利用するために用いる転炉装入用取鍋に関する。
【背景技術】
【０００２】
製鋼工程において、転炉で発生する溶融スラグには地金が含まれており、かつ高温のため、歩留まり向上の観点から溶融スラグの再利用が求められている。ただし、現状は、必ずしも、溶融スラグを充分に再利用できているとは言えない。
【０００３】
そこで、溶融スラグの再利用方法の１つとして、取鍋にスクラップを敷き、その上に溶融スラグを入れて、溶融スラグの保有熱でスクラップを昇温（熱回収）させてから一緒に転炉に装入する方法が考えられている。この方法を実施する上で、転炉へ溶融スラグとスクラップを適切に装入することができる取鍋が重要である。
【０００４】
しかし、従来の溶融スラグ用取鍋は、溶融スラグを冷却固化して再利用するための鍋であり（例えば、特許文献１、２）、上記のような、溶融スラグでスクラップを昇温して転炉へ装入する際に用いるのには適していない。
【先行技術文献】
【特許文献】
【０００５】
【特許文献１】特開平１１−１１８１３３号公報
【特許文献２】特開２００４−３６１０２５号公報
【発明の概要】
【発明が解決しようとする課題】
【０００６】
本発明は、上記のような事情に鑑みてなされたものであり、取鍋にスクラップを敷き、その上に溶融スラグを入れて、スクラップを昇温させてから一緒に転炉に装入するのに適切な、溶融スラグの転炉装入用取鍋を提供することを目的とするものである。
【課題を解決するための手段】
【０００７】
本発明は前記問題を解決するためになされたものであり、以下の構成からなる。
【０００８】
［１］取鍋にスクラップを敷き、その上に溶融スラグを入れて、スクラップを昇温させてから一緒に転炉に装入する際に用いる転炉装入用取鍋であって、内容物を転炉に装入するための嘴を備えていることを特徴とする溶融スラグの転炉装入用取鍋。
【０００９】
［２］水平方向に対する前記嘴の傾斜角度が５５°以下であることを特徴とする前記［１］に記載の溶融スラグの転炉装入用取鍋。
【００１０】
［３］前記嘴は、前記取鍋の根元付近から、前記取鍋の側壁に対して傾斜を成して形成されていることを特徴とする前記［１］または［２］に記載の溶融スラグの転炉装入用取鍋。
【００１１】
［４］前記取鍋の上縁が開放され、かつ前記取鍋の上縁が広がった形状をしていることを特徴とする前記［１］〜［３］のいずれかに記載の溶融スラグの転炉装入用取鍋。
【００１２】
［５］前記［１］〜［４］のいずれかに記載の溶融スラグの転炉装入用取鍋を用いた溶融スラグの転炉装入方法であって、前記溶融スラグの転炉装入用取鍋にスクラップを敷き、その上に溶融スラグを入れて、スクラップを昇温させてから一緒に転炉に装入することを特徴とする溶融スラグの転炉装入方法。
【発明の効果】
【００１３】
本発明を用いることにより、溶融スラグで昇温したスクラップを安定して転炉へ装入できるようになった。また、これによって、溶融スラグを１００％再利用することが可能になった。
【図面の簡単な説明】
【００１４】
【図１】本発明に係る転炉装入用取鍋を示す側面図である。
【図２】本発明に係る転炉装入用取鍋を示す上面図である。
【図３】本発明に係る転炉装入用取鍋を示す斜視図である。
【図４】本発明に係る転炉装入用取鍋の使用状態を示す図である。
【発明を実施するための形態】
【００１５】
本発明の一実施形態を図面に基づいて説明する。
【００１６】
図１〜図３は、本発明の一実施形態に係る転炉装入用取鍋１０を示すものであり、図１は側面図、図２は上面図、図３は斜視図である。
【００１７】
この転炉装入用取鍋１０は、取鍋にスクラップを敷き、その上に溶融スラグを入れて、スクラップを昇温させてから一緒に転炉に装入する際に用いる取鍋であって、図１〜図３に示すように、取鍋本体１１の上側面の一部に、内容物（スクラップと溶融スラグ）を転炉に装入するための嘴（装入口、注ぎ口）１２を備えている。
【００１８】
そして、水平方向に対する嘴１２の傾斜角度（立ち上がり角度）θは５５°以下にしている。言い換えれば、取鍋本体１１の中心軸１９（垂直方向）に対する嘴１２の傾斜角度は３５°以上にしている。嘴の底部が垂直方向に対して厳密な直線を成していない場合（若干の湾曲や屈曲を有する場合）は、嘴の先端と根元とを結ぶ線を３５°以上とすればよい。
【００１９】
また、嘴１２の先端部（上端部）は取鍋本体１１の上側面の上端部よりも高くしている。ただし、その高さの差（図１中のｈ）が大き過ぎると、転炉装入用取鍋１０の重心が高くなり、転炉に内容物を装入する際に不安定になりやすくなるとともに、横方向（図１では紙面左側方向）に嘴１２が出っ張ることになって他設備と干渉しやすくなるので、高さの差ｈは７００ｍｍ以下が好ましい。一方、高さの差ｈが小さ過ぎると、転炉内部にしっかり嘴１２が入り難くなり、転炉に内容物を装入し難くなるので、高さの差ｈは３００ｍｍ以上が好ましい。
【００２０】
また、嘴１２は、取鍋本体１１の根元付近から、取鍋側壁１５に対して傾斜を成して形成されていることが好ましい。ここで、少なくとも取鍋の底部から取鍋の高さ（嘴を除く高さ）の１／６〜１／２程度の位置から嘴の傾斜が始まることが好ましい。このように取鍋の根元付近から傾斜を成して嘴を形成することにより、取鍋の内容物を全量、転炉内へ投入することができる。
【００２１】
さらに、取鍋本体１１は上縁が上方に向かって広がった形状をしていることが好ましい。すなわち、取鍋１０の底にスクラップを敷く際、鍋底に隙間ができると、鍋底で溶融スラグが固着し、装入できなくなる恐れがある。このようなトラブルを回避するには、取鍋本体を上縁が上方に向かって広がった形状とし、確実に鍋底へスクラップを敷き詰めることを可能とすることが好ましい。ここで、上方に向かって広がった形状として、取鍋側壁１５が垂直方向に１５°以上外側に傾いていることが好ましく、さらに好ましくは２０°以上外側に傾いている。なお、側壁１５の垂直断面が厳密な直線ではない場合（若干の湾曲や屈曲を有する場合）は、側壁の底面位置（底面にＲが設けられている場合はＲの終了部）と上縁位置とを結ぶ線を１５°以上あるいは２０°以上とすればよい。
【００２２】
また、取鍋本体１１は、上縁が内側に張り出したりせず開放されていることが、スクラップ及び溶融スラグをより確実に取鍋内に投入する観点から好ましい。
【００２３】
取鍋本体の平面形状は、四角形等の角のある形状より、円・楕円等の角の無い形状であることが、スクラップ及び溶融スラグをより確実に取鍋内に投入する観点から好ましい。最も好ましい平面形状は円形である。
【００２４】
なお、図１〜図３中の１３は、この転炉装入用取鍋１０をクレーンのフックで吊り上げる際に用いるフック掛け部である。
【００２５】
図４は、上記の転炉装入用取鍋１０を用いて、溶融スラグとスクラップを転炉に装入している状態を示している。
【００２６】
まず、図４中の（ア）に示すように、転炉装入用取鍋１０をクレーンの主巻きフック２１で吊り上げて、転炉３０の炉口近くに移動させる。そして、図４中の（イ）に示すように、クレーンの補巻きフック２２を巻き上げることによって、フック掛け部１３を回転中心にして転炉装入用取鍋１０を回動させて、嘴１２からスクラップと溶融スラグを転炉３０に装入する。なお、図４中の１４は補助治具である。
【００２７】
このようにして、この実施形態においては、水平方向に対する傾斜角度θが５５°以下（垂直方向に対する傾斜角度が３５°以上）になった嘴１２を備えているので、図４に示すように、転炉装入用取鍋１０を回動させた際に、水平方向に対する嘴１２の装入角度（注ぎ角度）αを４０°以上下方に向かうようにすることができ、内容物（スクラップと溶融スラグ）をこぼすことなく確実に転炉３０に装入することが可能となる。
【００２８】
また、本取鍋は上縁が広がった形状をしている為、確実に鍋底へスクラップを敷き詰めることが可能であり、全量転炉装入できるようになっている。
【実施例１】
【００２９】
上記の本発明の一実施形態に係る転炉装入用取鍋１０を実操業に適用した結果、溶融スラグの再利用効果として、スクラップの昇温（熱回収）：１００℃、良塊歩留向上：０．１５％を得ることができた。
【符号の説明】
【００３０】
１０  転炉装入用取鍋
１１  取鍋本体
１２  嘴
１３  フック掛け部
１４  補助治具
１５  取鍋側壁
２１  主巻きフック
２２  補巻きフック
３０  転炉
【図１】
2014062320.tif 000003
【図２】
2014062320.tif 000004
【図３】
2014062320.tif 000005
【図４】
2014062320.tif 000006